(57)【要約】【課題】  データ読取・保存機能、マルチメディア再生機能を有し、多種のメモリカードとの互換性が高いマルチメディア再生機能付きカードリーダの提供。【解決手段】  カードリーダ接続ポートＣ１、メモリカード挿入槽Ｃ７１，Ｃ７２，Ｃ７３、複数種類のメモリカードＤのデータを読み取るカード読取回路Ｃ３、マルチメディアデータをマルチメディア信号に変換するマルチメディア再生回路Ｃ４、メモリＣ６、メモリＣ６のデータを読み取り、マルチメディアデータをマルチメディア再生回路Ｃ４へ送る制御回路Ｃ２、マルチメディア信号を出力する出力孔Ｃ９、マルチメディア信号を無線発信回路Ｃ１０を介して発信可能な発信器Ｃ１１、電池Ｃ５及び電源差込口Ｃ１２を設置し、カードリーダ接続ポートＣ１をコンピュータの接続ポートに接続することにより外付けディスクとして使用可能で、メモリＣ６及びメモリカードＤにデータを保存できる。【選択図】          図２
0003102170.tif 000002
【実用新案登録請求の範囲】
【請求項１】
コンピュータの接続ポートに接続可能なカードリーダ接続ポート、メモリカード挿入槽、該メモリカード収納槽に収納された複数種類のメモリカード内のデータを読み取るカード読取回路、マルチメディアデータをマルチメディア信号に変換するマルチメディア再生回路、メモリ、該メモリ内のデータを読み取り、メモリ或いはメモリカードから読み取ったマルチメディアデータをマルチメディア再生回路へ送る制御回路、各種マルチメディア再生装置を接続可能で、マルチメディア信号をこれらマルチメディア再生装置へ出力する出力孔、マルチメディア信号を無線発信回路を介して無線信号として他のマルチメディア再生装置へ発信可能な発信器、前記カードリーダ接続ポート及びコンピュータの接続ポートを介して充電可能で、各回路へ電力を供給する電池、及び、外部電源と接続可能で、各回路へ電力を供給する電源差込口を設置した回路板を備え、前記カードリーダ接続ポートをコンピュータの接続ポートに接続することにより外付ディスクとして使用可能で、前記メモリ及びメモリカード収納槽内のメモリカードにデータを保存できることを特徴としたマルチメディア再生機能付きカードリーダ。
【請求項２】
前記カードリーダ接続ポート及びコンピュータの接続ポートが、ＵＳＢ（Ｕｎｉｖｅｒｓａｉ  Ｓｅｒｉａｌ  Ｂｕｓ）ポート、通信ポート（ＣＯＭ１／ＣＯＭ２  Ｐｏｒｔ）、プリンタポート等のデジタル電子機器に対応した接続ポートである請求項１に記載のマルチメディア再生機能付きカードリーダ。
【請求項３】
前記メモリカード挿入槽が、複数種類の携帯式デジタルデータ保存用メモリカードに対応可能である請求項１又は２に記載のマルチメディア再生機能付きカードリーダ。
【請求項４】
前記メモリが、ＲＡＭ（Ｒａｎｄｏｍ  Ａｃｃｅｓｓ  Ｍｅｍｏｒｙ）、ＤＲＡＭ（Ｄｙｎａｍｉｃ  Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、フラッシュメモリ等のデジタル電子機器に対応可能なメモリである請求項１乃至３のいずれかに記載のマルチメディア再生機能付きカードリーダ。
【請求項５】
前記電池が、マンガン電池、水銀電池、リチウム電池、ニッケル水素電池等のデジタル電子機器に対応可能な電池である請求項１乃至４のいずれかに記載のマルチメディア再生機能付きカードリーダ。
【請求項６】
前記無線発信回路を介して発信器が発する信号は、ＡＭ（Ａｍｐｌｉｔｕｄｅ  Ｍｏｄｕｌａｔｉｏｎ）信号、ブルートゥース信号、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．１１Ａ及びＢ等の、無線通信変調搬送波信号に応用される無線信号である請求項１乃至５のいずれかに記載のマルチメディア再生機能付きカードリーダ。
【請求項７】
前記電源差込口は、変圧器、自動車用シガレットライタープラグ等の、外部電源との間に介在される接続装置を接続可能である請求項１乃至６のいずれかに記載のマルチメディア再生機能付きカードリーダ。
【考案の詳細な説明】
【技術分野】
【０００１】
本考案は、マルチメディア再生機能付きカードリーダに関する。
【背景技術】
【０００２】
一般的なカードリーダは、対象となるカード内に保存されたデータを読み取る機能のみを備える。一方、ＭＰ３プレーヤ等のメディア再生装置は、ＭＰ３データ等の対象となるデータのみを再生できるだけであって、データ保存媒体として用いることができない。また、フラッシュメモリが内蔵されているため、メモリカード等との互換性が無く、それぞれ他の周辺機器を用意しなければならないため、使用者の負担が大きい。
即ち、従来の機器は、１．機能が単一で、応用性に乏しい。２．カードリーダは、メモリカードからのデータ読取・保存機能しか有していない。３．メディア再生装置は、対応するメディアの再生機能を有するのみで、データ保存機能を有しない。４．カードリーダは対応するメモリカードの種類が非常に限られている。などの欠点がある。
【考案の開示】
【考案が解決しようとする課題】
【０００３】
本考案が解決しようとする課題は、データ読取・保存機能、マルチメディア再生機能を有し、多種のメモリカードとの互換性が高いマルチメディア再生機能付きカードリーダを提供することにある。
【課題を解決するための手段】
【０００４】
本考案のマルチメディア再生機能付きカードリーダは、コンピュータの接続ポートに接続可能なカードリーダ接続ポート、メモリカード挿入槽、該メモリカード収納槽に収納された複数種類のメモリカード内のデータを読み取るカード読取回路、マルチメディアデータをマルチメディア信号に変換するマルチメディア再生回路、メモリ、該メモリ内のデータを読み取り、メモリ或いはメモリカードから読み取ったマルチメディアデータをマルチメディア再生回路へ送る制御回路、各種マルチメディア再生装置を接続可能で、マルチメディア信号をこれらマルチメディア再生装置へ出力する出力孔、マルチメディア信号を無線発信回路を介して無線信号として他のマルチメディア再生装置へ発信可能な発信器、前記カードリーダ接続ポート及びコンピュータの接続ポートを介して充電可能で、各回路へ電力を供給する電池、及び、外部電源と接続可能で、各回路へ電力を供給する電源差込口を設置した回路板を備え、前記カードリーダ接続ポートをコンピュータの接続ポートに接続することにより外付けディスクとして使用可能で、前記メモリ及びメモリカード収納槽内のメモリカードにデータを保存できる。
【０００５】
以下の各構成を採用しても良い。
前記カードリーダ接続ポート及びコンピュータの接続ポートが、ＵＳＢ（Ｕｎｉｖｅｒｓａｉ  Ｓｅｒｉａｌ  Ｂｕｓ）ポート、通信ポート（ＣＯＭ１／ＣＯＭ２  Ｐｏｒｔ）、プリンタポート等のデジタル電子機器に対応した接続ポートである構成。
前記メモリカード挿入槽が、複数種類の携帯式デジタルデータ保存用メモリカードに対応可能である構成。
【０００６】
前記メモリが、ＲＡＭ（Ｒａｎｄｏｍ  Ａｃｃｅｓｓ  Ｍｅｍｏｒｙ）、ＤＲＡＭ（Ｄｙｎａｍｉｃ  Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、フラッシュメモリ等のデジタル電子機器に対応可能なメモリである構成。
前記電池が、マンガン電池、水銀電池、リチウム電池、ニッケル水素電池等のデジタル電子機器に対応可能な電池である。
【０００７】
前記無線発信回路を介して発信器が発する信号は、ＡＭ（Ａｍｐｌｉｔｕｄｅ  Ｍｏｄｕｌａｔｉｏｎ）信号、ブルートゥース信号、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．１１Ａ及びＢ等の、無線通信変調搬送波信号に応用される無線信号である。
前記電源差込口は、変圧器、自動車用シガレットライタープラグ等の、外部電源との間に介在される接続装置を接続可能である。
【考案の効果】
【０００８】
本考案によれば、メモリカード内のデータを読み取り、メモリカードへデータを保存する通常のカードレーダの機能と共に、接続したマルチメディア再生装置或いは車両用等のマルチメディア再生装置を用いてマルチメディアデータを再生する機能を有し、しかも、多種のメモリーカードに対応可能なので、汎用性が高くて使用者に対する経済的な負担が少なくて済み、コンピュータに接続することによって、内部電源となる電池に充電することができる。
【考案を実施するための最良の形態】
【０００９】
図１及び図２に示すように、本考案のカードリーダＡは、上蓋Ａ１、下蓋Ａ２及び回路板Ｂから成る。
上蓋Ａ１には、カードリーダＡの各機能を操作制御する操作パネルＡ４を設けてある。
回路板Ｂは上蓋Ａ１と下蓋Ａ２との間に設置され、ネジＡ３を下蓋Ａ２のネジ孔Ａ２１及び回路板Ｂのネジ孔Ｃ８に挿通し、上蓋Ａ１のネジ孔Ａ１１にねじ込んである。
また、回路板Ｂ上には、カードリーダ接続ポートＣ１、制御回路Ｃ２、カード読取回路Ｃ３、マルチメディア再生回路Ｃ４、電池Ｃ５、メモリＣ６、メモリカード挿入槽Ｃ７１，Ｃ７２，Ｃ７３、差込口Ｃ９、無線発信回路Ｃ１０、発信器Ｃ１１及び電源差込口Ｃ１２を設置してある。
【００１０】
カードリーダ接続ポートＣ１はコンピュータ接続ポートに接続可能であり、カードリーダ接続ポート及びコンピュータ接続ポートは、ＵＳＢ（Ｕｎｉｖｅｒｓａｉ  Ｓｅｒｉａｌ  Ｂｕｓ）ポート、通信ポート（ＣＯＭ１／ＣＯＭ２  Ｐｏｒｔ）、プリンタポート等のデジタル電子機器に対応した接続ポートとする。
制御回路Ｃ２は、操作パネルＡ４の操作に基づいて回路板Ｂ上の各回路を制御すると共に、メモリＣ６の内のデータを読み取ることができる。
電池Ｃ５は、マンガン電池、水銀電池、リチウム電池、ニッケル水素電池等のデジタル電子機器に対応可能な電池であって、回路板Ｂ上の各回路が作動する際に必要な電力を供給する。また、電池Ｃ５は、カードリーダ接続ポートＣ１とコンピュータ接続ポートを介して充電することができる。
【００１１】
電源差込口Ｃ１２は、図５に示すように、変圧器Ｌ、自動車用シガレットライタープラグＭ等の、外部電源との間に介在される接続装置を接続可能であり、電源コンセント或いはシガレットライターから、電池Ｃ５を消費せずに、回路板Ｂ上の各回路に電力を供給し、また、電池Ｃ５へ充電することができる。
メモリＣ６は、ＲＡＭ（Ｒａｎｄｏｍ  Ａｃｃｅｓｓ  Ｍｅｍｏｒｙ）、ＤＲＡＭ（Ｄｙｎａｍｉｃ  Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、フラッシュメモリ等のデジタル電子機器に対応可能なメモリとする。
【００１２】
メモリカード挿入槽Ｃ７１，Ｃ７２，Ｃ７３は、コンパクトフラッシュ（登録商標）カード、メモリスティック（登録商標）、スマートメディア（登録商標）カード等の複数種類の携帯式デジタルデータ保存用メモリカードに対応可能であり、それぞれメモリカードスロットＡ５が形成されている。
出力孔Ｃ９には、図３に示すように、ヘッドセットＥ、スピーカＦ、テレビ受像機Ｇ等の各種マルチメディア再生装置のコネクタＨを接続できる。
無線発信回路Ｃ１０を介して発信器Ｃ１１の発する信号は、ＡＭ（Ａｍｐｌｉｔｕｄｅ  Ｍｏｄｕｌａｔｉｏｎ）信号、ブルートゥース信号、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．１１Ａ及びＢ等の、無線通信変調搬送波信号に応用される無線信号とする。
【００１３】
メモリカードＤをメモリカード挿入槽Ｃ７１，Ｃ７２，Ｃ７３に挿入した後、カード読取回路Ｃ３でメモリカードＤ内部のデータを読み取るか、又は、制御回路Ｃ２によりメモリＣ６内部のデータを読み取る。
制御回路Ｃ２は、読み取ったデータが音声データ、画像データ等のマルチメディアデータである場合、このマルチメディアデータをマルチメディア再生回路Ｃ４に送り、マルチメディア再生回路Ｃ４は、受け取ったマルチメディアデータを音声信号等のマルチメディア信号に変換し、出力孔Ｃ９から各種マルチメディア再生装置へ出力する。
【００１４】
また、マルチメディア再生回路Ｃ４から出力されたマルチメディア信号を、図４に示すように、無線発信回路Ｃ１０で無線信号Ｊに変換し、無線信号Ｊを発信器Ｃ１１で車両用アンテナＩに発信して、車両用のマルチメディア再生装置Ｋにより再生することができる。
カードリーダ接続ポートＣ１をコンピュータの接続ポートに接続して、カードリーダＡをコンピュータの外付けディスクとして利用することもできる。即ち、メモリカードＤやメモリＣ６から読み取ったデータをコンピュータで処理したり、カードリーダＤ及びメモリＣ６にデータを保存することができる。
【図面の簡単な説明】
【００１５】
【図１】本考案の実施例を示すマルチメディア再生機能付きカードリーダの斜視図。
【図２】同上の分解斜視図。
【図３】同上の再生装置と接続した状態の斜視図。
【図４】同上の無線信号発信状態における斜視図。
【図５】同上の外部電源へ接続する際の斜視図。
【符号の説明】
【００１６】
Ａ  カードリーダ
Ａ１  上蓋
Ａ１１  ネジ孔
Ａ２  下蓋
Ａ２１  ネジ孔
Ａ３  ネジ
Ａ４  操作パネル
Ａ５  メモリーカードスロット
Ｂ  回路板
Ｃ１  カードリーダ接続ポート
Ｃ２  制御回路
Ｃ３  カード読み取り回路
Ｃ４  マルチメディア再生回路
Ｃ５  電池
Ｃ６  メモリ
Ｃ７１，Ｃ７２，Ｃ７３  メモリカード挿入槽
Ｃ８  ネジ孔
Ｃ９  出力孔
Ｃ１０  無線発信回路
Ｃ１１  発信器
Ｃ１２  電源差込口
Ｄ  メモリカード
Ｅ  ヘッドセット
Ｆ  スピーカ
Ｇ  テレビ受像機
Ｈ  コネクタ
Ｉ  アンテナ
Ｊ  無線信号
Ｋ  マルチメディア再生装置
Ｌ  変圧器
Ｍ  自動車用シガレットライタープラグ
【図１】
0003102170.tif 000003
【図２】
0003102170.tif 000004
【図３】
0003102170.tif 000005
【図４】
0003102170.tif 000006
【図５】
0003102170.tif 000007